(57)【要約】【課題】風船本体に紐をしっかりと連結でき、紐の材質が限定されず、逆止弁へのストロー等の挿入も容易な紐付き風船を提供する。【解決手段】この紐付き風船は、２枚の合成樹脂フィルム２１を重ね合わせて周縁を熱溶着された風船本体２０と、２枚の合成樹脂フィルムに挟まれて、その一端を風船本体に挿入され、他端を風船本体の外部に突出させて溶着されて、風船本体に取付けられ、外部突出側の端部が２枚に分かれたフィルム片をなす逆止弁３０と、風船本体及び逆止弁に固着されるシート片４０と、風船を保持する紐とを備えている。シート片４０は、一端４１が長く他端４２が短くなるように折曲ライン４３で二つ折りされ、短い方の端部４２と長い方の端部４１とで、逆止弁の一方のフィルム片３１ｅを挟むと共に、長い方の端部４１を風船本体の外側面に亘って接着し、このシート片に紐を連結する孔４４を設ける。【選択図】図５
2008168061.tif 000002
【特許請求の範囲】
【請求項１】
２枚の合成樹脂フィルムを重ね合わせて周縁を熱溶着された風船本体と、
前記２枚の合成樹脂フィルムに挟まれて、その一端を前記風船本体に挿入され、他端を前記風船本体の外部に突出させて溶着されることにより、前記風船本体に取付けられ、前記外部突出側の端部が２枚に分かれたフィルム片をなす逆止弁と、
風船を保持するための紐とを備えた紐付き風船において、
一端が長く他端が短くなるような位置で二つ折りされたシート片を有し、
このシート片の短い方の端部内面が、前記逆止弁の外部突出側の端部における一方のフィルム片の内側に接着され、前記シート片の長い方の端部内面が、前記一方のフィルム片の外側及び前記風船本体の外側面に亘って接着されることにより、前記シート片が前記風船本体及び前記逆止弁に固着されており、
前記シート片には、前記逆止弁及び前記風船本体とは重ならない部分に孔が設けられており、この孔に前記紐の端部が連結されていることを特徴とする紐付き風船。
【請求項２】
前記シート片は、前記逆止弁のフィルム片よりも幅広で、該シート片の両側が前記フィルム片よりはみ出していて、このはみ出した部分で、該シート片の二つ折りされた端部どうしが接着されている請求項１記載の紐付き風船。
【請求項３】
前記シート片の孔は、前記シート片の端部どうしが接着された部分に形成されている請求項１又は２記載の紐付き風船。
【請求項４】
前記シート片の二つ折りされた内面にはそれぞれ粘着剤層が形成されており、この粘着剤層によって前記風船本体及び前記逆止弁に接着されている請求項１〜３のいずれか１つに記載の紐付き風船。
【発明の詳細な説明】
【技術分野】
【０００１】
本発明は、合成樹脂フィルムで形成された風船に紐を連結して、風船が飛んでしまわないように保持できるようにした紐付き風船に関する。
【背景技術】
【０００２】
２枚の合成樹脂フィルムを重ね合わせ、空気注入部を残して周縁を溶着すると共に、空気注入部には逆止弁を挿入溶着して気道を確保した風船が知られている。この風船は、空気注入部に取付けられた逆止弁を通してガスを注入することにより、膨らませることができる。ガスとしてヘリウム等の空気よりも軽い気体を注入すれば、風船を浮き上がらせて楽しむことができる。この場合、風船が飛んでしまわないように風船には紐が連結されるようになっている。
【０００３】
従来、この紐は、その端部を粘着テープ（例えば、セロテープ（登録商標））等によって、風船本体の空気注入部近傍、更に詳しく言えば、空気注入部近傍に位置する一方の合成樹脂フィルムの外側面に貼り付けられていた。
【０００４】
しかしながら、粘着テープ等で紐の端部を貼り付けたものは、取付け作業が煩わしいだけでなく、風船に対して紐を強く引っ張ると、粘着テープが剥がれて風船から紐が外れてしまうことがあった。また、紐が、空気注入部近傍に位置する一方の合成樹脂フィルムの外側面に貼り付けられるため、紐を保持して風船を浮き上がらせたときに、風船が少し傾いて保持されることとなり、外観が悪いという問題があった。
【０００５】
このような問題に対処するため、下記特許文献１には、互いに重合された２枚の風船本体用シートの間にフィルム状逆止弁を配置し、上記シートの周縁部を上記フィルム状逆止弁と共にシールすると共に、上記フィルム状逆止弁に風船本体保持用の合成樹脂製の紐３を一体に溶着してなる紐付き風船が開示されている。
【特許文献１】特開２０００−６１１５６号公報
【発明の開示】
【発明が解決しようとする課題】
【０００６】
上記特許文献１の紐付き風船においては、紐がフィルム状逆止弁に溶着されているが、フィルム状逆止弁は、一般に薄いフィルムを２枚重ね合わせて形成されているため、強度的に弱いという問題があった。したがって、強く引っ張ると、逆止弁のフィルムがちぎれて、紐が離れてしまう虞れがあった。また、紐は、フィルム状逆止弁に溶着できる材質でなければならず、そのような材料は強度的に弱いため、幅広にする必要が生じ、紐がはっきり見えてしまうため、風船が浮き上がっている雰囲気を損ねる可能性があった。
【０００７】
一方、この種の風船に用いられる逆止弁は、前述したように、薄いフィルムを２枚重ね合わせて形成されており、一端を風船本体の内部に挿入され、他端を風船本体の外部に挿出された状態で風船本体に溶着されている。そして、風船本体の外部に突出した部分における２枚のフィルムを広げて、その間にガス注入ノズルや、ストローなどを挿入してガスを注入するのであるが、２枚のフィルムがぴったりと密着していて、指で広げにくく、ノズルやストローを挿入しにくいという問題もあった。
【０００８】
したがって、本発明の目的は、風船本体に紐をしっかりと連結することができ、紐の材質が限定されず、逆止弁へのノズルやストローの挿入も容易な紐付き風船を提供することにある。
【課題を解決するための手段】
【０００９】
上記目的を達成するため、本発明は、２枚の合成樹脂フィルムを重ね合わせて周縁を熱溶着された風船本体と、
前記２枚の合成樹脂フィルムに挟まれて、その一端を前記風船本体に挿入され、他端を前記風船本体の外部に突出させて溶着されることにより、前記風船本体に取付けられ、前記外部突出側の端部が２枚に分かれたフィルム片をなす逆止弁と、
風船を保持するための紐とを備えた紐付き風船において、
一端が長く他端が短くなるような位置で二つ折りされたシート片を有し、
このシート片の短い方の端部内面が、前記逆止弁の外部突出側の端部における一方のフィルム片の内側に接着され、前記シート片の長い方の端部内面が、前記一方のフィルム片の外側及び前記風船本体の外側面に亘って接着されることにより、前記シート片が前記風船本体及び前記逆止弁に固着されており、
前記シート片には、前記逆止弁及び前記風船本体とは重ならない部分に孔が設けられており、この孔に前記紐の端部が連結されていることを特徴とする紐付き風船を提供するものである。
【００１０】
本発明によれば、逆止弁の一方のフィルム片を挟むようにシート片が接着され、シート片の長い方の端部は、風船本体にも接着されているので、風船本体及び逆止弁にシート片がしっかりと固着される。そして、このシート片に設けられた孔に紐の端部を連結することにより、紐を風船本体にしっかりと連結することができる。
【００１１】
また、紐は、風船本体の逆止弁が突出した部分にシート片を介して連結されるので、風船を浮き上がらせたときに風船が傾くことがなく、外観が良好となる。
【００１２】
更に、逆止弁の風船本体から突出した２枚のフィルム片の間に、ガス注入用のノズルや、ストローを挿入しようとするとき、一方のフィルム片がシート片に連結されているので、シート片を持ち上げることによって、２枚のフィルム片を容易に開くことができ、かつ、ノズルやストローを剛性の高いシート片側に押し当てながら挿入することができるので、ノズルやストローの挿入を容易に行うことができる。
【００１３】
本発明の紐付き風船においては、前記シート片は、前記逆止弁のフィルム片よりも幅広で、該シート片の両側が前記フィルム片よりはみ出していて、このはみ出した部分で、該シート片の二つ折りされた端部どうしが接着されていることが好ましい。これによれば、シート片によってフィルム片を包み込むように接着されるので、連結部の強度を更に高めることができると共に、ノズルやストローを挿入するときに、幅広のシート片に押し当てやすくなるので、ノズルやストローの挿入操作も更に容易になる。
【００１４】
また、前記シート片の孔は、前記シート片の端部どうしが接着された部分に形成されていることが好ましい。すなわち、シート片の孔は、逆止弁及び風船本体とは重ならない部分に設けられるのであるが、二つ折りされたシート片の端部どうしが接着された部分に孔が形成されるようにしておくことにより、孔の周縁が、シート片を重合して強化された部分となるので、紐の連結部の強度を高めることができる。
【００１５】
更に、前記シート片の二つ折りされた内面にはそれぞれ粘着剤層が形成されており、この粘着剤層によって前記風船本体及び前記逆止弁に接着されていることが好ましい。すなわち、シート片が内側に粘着剤層を有する、いわゆるステッカーからなる場合には、シート片を折り曲げて、逆止弁の一方のフィルム片を挟むと共に、シート片の長い方の端部を風船本体に押圧するだけで、シート片を取付けることができるので、製造作業性を良好にすることができる。
【発明の効果】
【００１６】
本発明によれば、逆止弁の一方のフィルム片を挟むようにシート片が接着され、シート片の長い方の端部は、風船本体にも接着されているので、風船本体及び逆止弁にシート片がしっかりと固着され、このシート片に設けられた孔に紐の端部を連結することにより、紐を風船本体にしっかりと連結することができる。
【００１７】
また、紐は、風船本体の逆止弁が突出した部分にシート片を介して連結されるので、風船を浮き上がらせたときに風船が傾くことがなく、外観が良好となる。
【００１８】
更に、逆止弁の風船本体から突出した２枚のフィルム片の間に、ガス注入用のノズルや、ストローを挿入しようとするとき、一方のフィルム片がシート片に連結されているので、シート片を持ち上げることによって、２枚のフィルム片を容易に開くことができ、かつ、ノズルやストローを剛性の高いシート片側に押し当てながら挿入することができるので、ノズルやストローの挿入を容易に行うことができる。
【発明を実施するための最良の形態】
【００１９】
以下、図面を参照して、本発明の実施形態を説明する。図１〜８には、本発明による紐付き風船の一実施形態が示されている。
【００２０】
図１に示すように、この紐付き風船１０は、２枚の合成樹脂フィルムからなる風船本体２０と、この風船本体２０に取付けられた逆止弁３０と、風船本体２０及び逆止弁３０に固着されたシート片４０と、このシート片４０に連結された紐５０とで構成されている。
【００２１】
風船本体２０は、図２に示すように、２枚の合成樹脂フィルム２１を重ね合わせ、所定形状、例えば円形等の形状に裁断し、それらの周縁部２１ａ（図４参照）を熱溶着することにより形成されている。なお、周縁部２１ａを熱溶着するとき、後述する逆止弁３０を一緒に熱溶着する。合成樹脂フィルム２１の材質としては、従来よりこの種の風船に用いられているもの、例えばポリエチレン、ポリアミド、ポリエチレンテレフタレート、ポリプロピレン、ポリビニルアルコール、エチレンビニルアルコール重合体等が好ましく用いられる。合成樹脂フィルム２１には、塗料による印刷や、金属蒸着が施されていてもよく、更には金属箔がラミネートされていてもよい。
【００２２】
逆止弁３０は、図３（Ａ）に示すように、ポリエチレンのような熱溶着性のある合成樹脂フィルム３１を長方形等に裁断して２枚重ね合わせ、同図（Ｂ）に示すように、その両側部３１ａ、３１ｂを熱溶着して、ガス入口３１ｃと、ガス出口３１ｄとを開放させた構造をなしている。なお、少なくとも一方の合成樹脂フィルム３１の内面の、風船本体２０と一緒に熱溶着される部分には、溶着されない耐熱インク塗布層３２が形成されている。また、風船本体２０の外側に突出する部分は、両側部が熱溶着されずに、開くことが可能なフィルム片３１ｅをなしている。
【００２３】
ただし、逆止弁３０としては、上記構造に限定されず、この種の風船に用いられる各種構造のフィルム状逆止弁を用いることができる。そのような逆止弁として、例えば実開平６−３７６６５号、特開平３−５０２０５８号などに開示されたものが挙げられる。
【００２４】
図４に示すように、逆止弁３０は、ガス出口３１ｄが風船本体２０内に入り、ガス入口３１ｃが風船本体２０の外部に突出するように、風船本体２０を構成する２枚の合成樹脂フィルム２１の間に挟んでおいて、２枚の合成樹脂フィルム２１の周縁部２１ａを熱溶着するとき、同時に熱溶着することができる。その場合、逆止弁３０の少なくとも一方の合成樹脂フィルム３１の内面に、前記耐熱インク塗布層３２が形成されているので、ガス流路まで熱溶着されて閉塞されてしまわないようにされている。逆止弁３０の風船本体２０から突出した部分は、２枚に分かれたフィルム片３１ｅをなしており、このフィルム片３１ｅを開いて、ガスノズルやストローを挿入し、ガスを注入するようになっている。
【００２５】
図５に示すように、シート片４０は、比較的厚いシートからなり、折り曲げた際に内側となる片面に図示しない粘着剤層が塗布されている。シート片４０は、比較的長尺なシートを、一端が長い端部４１となり、他端が短い端部４２となるような位置にある折曲ライン４３で二つ折りにして形成されている。折り曲げられた端部４１，４２の折曲ライン４３の近傍には、孔４４がそれぞれ形成され、両端部４１，４２を接合したとき、両者の孔４４が整合して紐５０の取付け孔を構成するようになっている。
【００２６】
シート片４０の両側部４１ａ、４２ａの幅は、逆止弁３０のフィルム片３１ｅの幅よりも広くされており、折曲ライン４３に近接した前記孔４４を囲む部分４１ｂ、４２ｂは、更に広く拡径されている。
【００２７】
シート片４０は、短い方の端部４２を、逆止弁３０の一方のフィルム片３１ｅの内側に当接し、長い方の端部４１を同フィルム片３１ｅの外側に当接して、一方のフィルム片３１ｅを挟み込むように接着される。このとき、長い方の端部４１の先端部は、風船本体２０の外側面まで伸びて一方の合成樹脂フィルム２１の外側にも接着される。
【００２８】
なお、前述したように、シート片４０の両側部４１ａ、４２ａの幅は、逆止弁３０のフィルム片３１ｅの幅よりも広くされているので、シート片４０の両側部４１ａ、４２ａは、フィルム片３１ｅの両側からはみ出して、シート片どうしで接着される。また、孔４４の周縁も、フィルム片３１ｅよりも下方に延出された部分となるので、シート片どうしで接着される。
【００２９】
図６、７は、その状態を示している。図６に示すように、シート片４０は、長い方の端部４１と、短い方の端部４２とで、一方のシート片３１ｅを挟むように接着され、長い方の端部４１は、風船本体２０の一方の合成樹脂フィルム２１の外側にも接着されている。こうして、シート片４０は、風船本体２０及び逆止弁３０にしっかりと固着される。
【００３０】
そして、図７に示すように、シート片４０の孔４４に、紐５０の端部を縛り付けることにより、紐５０を風船本体２０に連結することができる。このとき、孔４４の周囲は、シート片４０の端部４１，４２どうしが接着された部分となるので、厚さが２倍になって強度が高くなり、紐５０を縛り付けたときに、充分な耐久性を付与することができる。なお、紐５０の材質は、特に限定されず、合成樹脂の線材、合成繊維や天然繊維からなる糸等、様々なものを使用できる。
【００３１】
図８には、この風船本体２０に逆止弁３０を通してガスを注入するときの状態が示されている。この実施例の場合は、図示しない、ガスが充填されたスプレー缶のノズルに基端を接続されて、先端を風船本体２０に挿入されるストロー６０を挿入する例を示しているが、ガスタンクに連結されたノズルを直接挿入することもできる。
【００３２】
すなわち、ストロー６０を、逆止弁３０を通して風船本体２０に挿入する際には、逆止弁３０の、風船本体２０の外側に突出している部分をなす２枚のフィルム片３１ｅを広げて、それらの間に挿入する必要がある。従来の風船では、このとき２枚のフィルム片３１ｅがぴったりと密着して、引き剥がすのに手間がかかったりすることがあった。しかし、本発明では、フィルム片３１ｅの一方にシート片４０が固着されているので、シート片４０を図６に示すように持ち上げることにより、フィルム片３１ｅどうしを容易に開いてストロー６０の端部を挿入することができる。
【００３３】
また、従来の風船では、２枚のフィルム片３１ｅの間にストロー等を挿入して押し込むときに、逆止弁３０を構成するフィルムが極めて薄く柔軟な材質からなるので、フィルムにしわが寄って、ストロー等をスムーズに挿入できないこともあった。しかし、本発明では、一方のフィルム片３１ｅを挟むようにシート片４０が固着されており、しかもシート片４０の長い方の端部４１が風船本体２０まで伸びているので、ストロー６０の端部をシート片４０に押し当てるようにして滑らしながら挿入することができ、逆止弁３０のフィルムにしわが寄ることがなく、スムーズに挿入することができる。
【００３４】
こうしてガスを注入し、風船本体２０を浮き上がらせると、図１に示すように、風船本体２０は、紐５０によって、空中に浮遊した状態で保持される。このとき、紐５０は、風船本体２０の逆止弁３０が取付けられた部分に、シート片４０を介して連結されているので、風船本体２０が傾くことなく、外観が良好となる。
【図面の簡単な説明】
【００３５】
【図１】本発明による紐付き風船の一実施形態を示す斜視図である。
【図２】同紐付き風船の風船本体及び逆止弁の接合方法を示す分解斜視図である。
【図３】同紐付き風船に用いられる逆止弁の一例を示し、（Ａ）は同逆止弁を構成する２枚のフィルムの分解斜視図、（Ｂ）は２枚のフィルムを溶着した状態を示す斜視図である。
【図４】同紐付き風船において、風船本体に逆止弁を取付けた状態を示す正面図である。
【図５】同紐付き風船において、風船本体及び逆止弁にシート片を取付ける方法を示す斜視図である。
【図６】同紐付き風船において、風船本体及び逆止弁にシート片を取付けた状態を示す部分拡大側面図である。
【図７】同紐付き風船において、風船本体及び逆止弁にシート片を取付けた状態を示す部分拡大正面図である。
【図８】同紐付き風船において、風船本体にガスを注入するためのストローを挿入する方法を示す斜視図である。
【符号の説明】
【００３６】
１０  紐付き風船
２０  風船本体
２１  合成樹脂フィルム
２１ａ  周縁部
３０  逆止弁
３１  合成樹脂フィルム
３１ａ、３１ｂ  両側部
３１ｃ  ガス入口
３１ｄ  ガス出口
３１ｅ  フィルム片
４０  シート片
４１  長い方の端部
４１ａ  両側部
４２  短い方の端部
４３  折曲ライン
４４  孔
５０  紐
６０  ストロー
【図１】
2008168061.tif 000003
【図２】
2008168061.tif 000004
【図３】
2008168061.tif 000005
【図４】
2008168061.tif 000006
【図５】
2008168061.tif 000007
【図６】
2008168061.tif 000008
【図７】
2008168061.tif 000009
【図８】
2008168061.tif 000010